(57)【要約】【課題】封緘式キャップにおいて、連結部上方のキャップ部分螺脱後に容器体口頸部の下部外面へ残る抜止め筒を、該口頸部から外すことが容易とした。【解決手段】封緘式キャップ１１の抜止め筒１５の内面から上内方へ突出させた複数の弾性突片１６ａ  を第１係合手段１６として、該第１係合手段を容器体１の口頸部下部外面へ付設した、第２係合手段４としての外向きフランジ４ａ下面へ係合させると共に、上記突片１６ａ  間の抜止め筒部分へ、折返し部１７を、抜止め筒上面又は下面から左右一対の切離し線１８，１８  穿設により、両切離し線先端間に小間隙１９をおいて、かつ一方切離し線先端と抜止め筒端面との間を破断部２０として形成した。【選択図】    図１
2004231278.tif 000002
【特許請求の範囲】
【請求項１】
キャップ周壁の下端面から破断可能な連結部を介して抜止め筒を垂下し、容器体口頸部の上部外面に対するキャップ周壁螺合時に、抜止め筒内面へ付設した第１係合手段が口頸部下方部分が有する第２係合手段へ係合可能に形成した封緘式キャップにおいて、
上記第２係合手段４を容器体口頸部３の下部外面へ周設した外向きフランジ４ａで形成すると共に、第１係合手段１６を抜止め筒１５の内面から上内方へ傾斜突出して上記外向きフランジ４ａ下面へ係合する弾性変形可能な複数の突片１６ａ  で形成し、
又上記突片間の抜止め筒部分へ折返し部１７を、左右一対の切離し線１８，１８  穿設により上下いずれかの端部間に小間隙１９をおいて、かつ一方切離し線端部と抜止め筒端面との間を破断部２０として形成した
ことを特徴とする封緘式キャップ。
【請求項２】
上記折返し部１７を、下方を弯曲面とする半円状として、抜止め筒上面から左右一対の切離し線１８、１８穿設により形成し、両切離し線下端間に小間隙１９をおいて、かつ一方切離し線下端と抜止め筒下面との間を破断部２０として形成した
ことを特徴とする、請求項１記載の封緘式キャップ。
【請求項３】
上記折返し部１７を除く抜止め筒部分へ、複数の窓孔２２を穿設した
ことを特徴とする、請求項１又は２記載の封緘式キャップ。
【請求項４】
上記連結部１４を、複数の短小な連結子１４ａ  で形成すると共に、抜止め筒１５上端から外向きフランジ４ａ上方へ内向きフランジ２４を突出させた
ことを特徴とする、請求項１、２、又は３記載の封緘式キャップ。
【請求項５】
上記折返し部１７と対向する抜止め筒１５部分へ、薄肉ヒンジ２１を縦設した
ことを特徴とする、請求項１、２、３、又は４記載の封緘式キャップ。
【発明の詳細な説明】
【０００１】
【発明の属する技術分野】
本発明は封緘式キャップに関する。
【０００２】
【従来の技術】
特許文献１が示すように、キャップ周壁の下端面から破断可能な連結部を介して抜止め筒を垂下し、容器体口頸部の上部外面へのキャップ周壁螺合時に、抜止め筒内面へ付設した第１係合手段が口頸部下方部分が有する第２係合手段へ係合して、抜止め筒は口頸部の下部外面へ残したままでキャップを除去できるよう設けた封緘式キャップが知られている。
【０００３】
【特許文献１】
特開平１０−３２４３５３号公報
【０００４】
【発明が解決しようとする課題】
近時廃棄物を分別しておくことで、廃棄物を再利用することが重視されている。
【０００５】
上記封緘式ないし封印式キャップは通常合成樹脂製であり、容器体は硝子、ないし合成樹脂製であるから、容器体が硝子製である場合、又容器体が合成樹脂製であっても上記封緘式キャップと異る材質の場合は、上記分別廃棄の趣旨から、容器体口頸部の下部外面へ残った抜止め筒も、該容器体廃棄時には簡単に容器体から分離し、別廃棄できることが望ましい。
【０００６】
本発明はこのような目的の下に、上記抜止め筒の簡易な取外しが可能としたものである。
【０００７】
【課題を解決するための手段】
第１の手段としてキャップ周壁の下端面から破断可能な連結部を介して抜止め筒を垂下し、容器体口頸部の上部外面に対するキャップ周壁螺合時に、抜止め筒内面へ付設した第１係合手段が口頸部下方部分が有する第２係合手段へ係合可能に形成した封緘式キャップにおいて、
上記第２係合手段４を容器体口頸部３の下部外面へ周設した外向きフランジ４ａで形成すると共に、第１係合手段１６を抜止め筒１５の内面から上内方へ傾斜突出して上記外向きフランジ４ａ下面へ係合する弾性変形可能な複数の突片１６ａ  で形成し、
又上記突片間の抜止め筒部分へ折返し部１７を、左右一対の切離し線１８，１８  穿設により上下いずれかの端部間に小間隙１９をおいて、かつ一方切離し線端部と抜止め筒端面との間を破断部２０として形成した。
【０００８】
第２の手段として、上記第１の手段を有すると共に上記折返し部１７を、下方を弯曲面とする半円状として、抜止め筒上面から左右一対の切離し線１８、１８穿設により形成し、両切離し線下端間に小間隙１９をおいて、かつ一方切離し線下端と抜止め筒下面との間を破断部２０として形成した。
【０００９】
第３の手段として、上記第１又は第２の手段を有すると共に上記折返し部１７を除く抜止め筒部分へ、複数の窓孔２２を穿設した。
【００１０】
第４の手段として、上記第１、第２又は第３の手段を有すると共に上記連結部１４を、複数の短小な連結子１４ａ  で形成すると共に、抜止め筒１５上端から外向きフランジ４ａ上方へ内向きフランジ２４を突出させた。
【００１１】
第５の手段として、上記第１、第２、第３又は第４の手段を有すると共に上記折返し部１７と対向する抜止め筒１５部分へ、薄肉ヒンジ２１を縦設した。
【００１２】
【発明の実施の形態】
まず従来公知の部分について簡単に説明すると、１は容器体で、該容器体は胴部上端から肩部２を介して口頸部３を起立しており、該口頸部の上部は雄ねじ筒としており、該口頸部の下部外面へは第２係合手段４としての外向きフランジ４ａを付設している。
【００１３】
１１は封緘式キャップで、該キャップは頂壁１２外周から上記雄ねじ筒外面へ螺合させた、内面雌ねじ筒の周壁１３を垂下させ、かつ該周壁下端からは破断可能な連結部１４を介して抜止め筒１５を垂下し、該抜止め筒内面からは、上記第２係合手段４へ係合させて第１係合手段１６を付設している。
【００１４】
上記構成において、キャップ周壁１３を螺脱方向へ回すと、周壁１３は螺上昇するに対して抜止め筒１５は第２係合手段４への第１係合手段１６係合により上昇不能であるため、連結部１４が破断されて、抜止め筒１５を口頸部の下部外面へ残したままで、その上方キャップ部分は螺脱される。
【００１５】
本発明は上記の封緘式キャップにおいて、第２係合手段４を口頸部３の下部外面へ付設した外向きフランジ４ａで形成し、又第１係合手段１６を、抜止め筒１５の内面から上内方へ傾斜突出して上記外向きフランジ下面へ係合する、弾性変形可能な複数の突片１６ａ  で形成した。その突片１６ａ  は、容器体口頸部外面への封緘式キャップ螺合時に該キャップ螺降と共に各突片１６ａ  下面が外向きフランジ４ａ上面へ接した後、次第に弾性変形して外向きフランジ４ａを乗越えた後、弾性復元して各突片先端が外向きフランジ４ａ下方へ位置するよう設ける。
【００１６】
又上記突片１６ａ  間の抜止め筒部分へ、図１が示すように下方を弯曲面とする半円状の折返し部１７を形成した。該折返し部は、抜止め筒上面から左右一対の切離し線１８，１８  穿設により両切離し線下端間へ小間隙１９をおいて、かつ一方切離し線の下端と抜止め筒１５の下面との間を破断部２０として形成する。その破断部２０は、図４が示すように折返し部１７を外方へ倒した状態から外方へ引くことで、容易に破断できるよう設けておく。尚上記折返し部１７は、三角形状等必ずしも下方弯曲面の半円状でなくともよく、又両切離し線先端間の小間隙１９を抜止め筒上方に設けて、一方切離し線先端と抜止め筒上面との間を破断部２０としてもよい。
【００１７】
上記折返し部１７と対向する抜止め筒部分には、図５が示すように、上記破断部を離した後の抜止め筒を、外方へ屈折することが可能に薄肉ヒンジ２１を縦設するとよい。
【００１８】
更に抜止め筒１５には上記折返し部１７を除く部分へ複数の窓孔２２をほぼ等間隔に、かつ隣合う窓孔間へ窓孔横巾よりも挾い筒部分２３を残して穿設するとよく、抜止め筒１５上端へは、外向きフランジ４ａ上方へ突出する内向きフランジ２４を付設するとよい。既述連結部１４は、複数の短小な連結子１４ａ  で形成する。
【００１９】
【発明の効果】
本発明は既述構成とするものであり、請求項１のようにすることで、容器体口頸部外面へ封緘式キャップを螺合するだけで第１係合手段１６を形成する複数の突片１６ａ  は、第２係合手段４を形成する外向きフランジ４ａに接して弾性変形することでその外向きフランジを乗越えた後、弾性復元してその外向きフランジ下面へ係合することとなり、又折返し部１７を形成する左右一対の切離し線１８、１８のうちの一方端部と抜止め筒端面との間で破断部２０を形成したから折返し部１７も外方へ折り返して外方へ引くことで極めて容易に破断出来る。
【００２０】
又、請求項２のように上記折返し部１７を下方を弯曲面とする半円状とし、かつ一方切離し線下端と抜止め筒下面との間を破断部とすることで、連結部１４破断で該連結部上方のキャップ部分螺脱の際に上記破断部２０が切れる等して連結部の破断に悪影響を及ぼすことがない。
【００２１】
請求項３のようにすることで、抜止め筒１５の成形材料を節約でき、又窓孔２２を通して外向きフランジ４ａ下面に対する突片１６ａ  の係合を目視できて封緘式キャップに対する信頼感を高めることが出来、又それ等窓孔により他の封緘式キャップに対する特殊性ないし相違を製品に持たせることが出来る。
【００２２】
請求項４のようにすることで、連結部１４よりも上方のキャップ部分螺脱に先だって折返し部１７が外方へ倒れて破断部２０が破断するようなことがない。
【００２３】
請求項５のようにすることで、連結部１４よりも上方のキャップ部分除去の後、口頸部の下部外面に残った抜止め筒１５の除去が容易である。
【図面の簡単な説明】
【図１】容器体口頸部への嵌合状態で示す、本発明キャップの側面図である。
【図２】図１要部の断面図である。
【図３】連結部よりも上方のキャップ部分を螺脱した状態で示す斜視図である。
【図４】図３の状態から折返し部を外方へ倒した状態を示す斜視図である。
【図５】図４の状態から抜止め筒を口頸部から外し、かつ該抜止め筒を更に折り曲げた状態を示す斜視図である。
【符号の説明】
１…容器体                        ４…第２係合手段
４ａ…外向きフランジ          １１…封緘式キャップ
１３…周壁                      １４…連結部
１５…抜止め筒                    １６…第１係合手段
１６ａ…突片                        １７…折返し部
１８…切離し線                  ２０…破断部
２１…薄肉ヒンジ                  ２２…窓孔
２４…内向きフランジ
【図１】
2004231278.tif 000003
【図２】
2004231278.tif 000004
【図３】
2004231278.tif 000005
【図４】
2004231278.tif 000006
【図５】
2004231278.tif 000007